(57)【要約】【課題】  従来、医師の処方なく、個人の判断で市販薬品を買い求める場合には、市販薬品を購入した人は、購入した市販薬品中に関する説明を受けにくく、説明を受けることができなければ、購入した市販薬品に含まれている各成分に関する情報を知ることができない。【解決手段】  本発明の市販薬品の成分説明出力システムは、市販薬品の種類を識別するための識別データ（バーコードデータ２）とその識別データで識別される市販薬品の中に含まれる成分に関するデータとが対応付けられて記憶された記憶手段８と、入力手段（バーコードリーダ３）により入力された市販薬品１の識別データを認識して当該識別データに対応付けられた市販薬品１の中に含まれる成分に関するデータを前記記憶手段８から読み出して出力手段（表示装置５、プリンタ６）に出力する処理手段（成分説明出力処理手段７）とを備えたことを特徴とする。【選択図】        図１
2005346379.tif 000002
【特許請求の範囲】
【請求項１】
市販薬品の種類を識別するための識別データとその識別データで識別される市販薬品の中に含まれる成分に関するデータとが対応付けられて記憶された記憶手段と、入力手段により入力された市販薬品の識別データを認識して当該識別データに対応付けられた市販薬品の中に含まれる成分に関するデータを前記記憶手段から読み出して出力手段に出力する処理手段とを備えたことを特徴とする市販薬品の成分説明出力システム。
【請求項２】
市販薬品の中に含まれる成分に関するデータが、市販薬品の中に含まれる成分毎の、成分名データと効能説明データと注意事項説明データであることを特徴とする請求項１に記載の市販薬品の成分説明出力システム。
【請求項３】
市販薬品の中に含まれる成分に関するデータが、市販薬品の中に含まれる成分毎の、成分名データと効能説明データと注意事項説明データと禁忌症データであることを特徴とする請求項１に記載の市販薬品の成分説明出力システム。
【請求項４】
出力手段が、市販薬品の中に含まれる成分に関するデータを紙に印刷して市販薬品説明文書として出力するプリンタであることを特徴とする請求項１ないし請求項３のいずれかに記載の市販薬品の成分説明出力システム。
【請求項５】
識別データが、市販薬品に付されたバーコードデータであることを特徴とする請求項１ないし請求項４のいずれかに記載の市販薬品の成分説明出力システム。
【請求項６】
コンピュータに市販薬品の種類を識別するための識別データが入力されたことを認識させる機能と、識別データの入力をコンピュータに認識させた場合に、コンピュータに、市販薬品の種類を識別するための識別データとその識別データで識別される市販薬品の中に含まれる成分に関するデータとが対応付けられて記憶された記憶手段から入力識別データに対応する市販薬品の中に含まれる成分に関するデータを読み出させて出力手段より出力させる機能とを備えたことを特徴とする市販薬品の成分説明出力プログラム。
【請求項７】
市販薬品の種類を識別するための識別データとその識別データで識別される市販薬品の中に含まれる成分に関するデータとが対応付けられた構造を有したことを特徴とする市販薬品の成分説明データ。
【発明の詳細な説明】
【技術分野】
【０００１】
本発明は市販薬品の購入者に対してその購入した市販薬品中の成分説明を提供できる市販薬品の成分説明出力システム等に関する。
【背景技術】
【０００２】
病院で診察を受けた患者は、医師により処方された薬を薬局で受け取る際に、その薬に関する情報が記載された服薬指導文書を受け取ることができる。
【特許文献１】特開２００３−２２３５１０号公報
【発明の開示】
【発明が解決しようとする課題】
【０００３】
従来、市販薬品を購入した購入者は、外装箱や添付の説明書により市販薬品中に含まれる成分名、市販薬品全体の効能及び注意事項は知ることができた。市販薬品中には複数の成分が含まれているが、市販薬品の外装箱などに含有成分名が記載されているので、販売員が薬剤師であれば、各成分に関する情報（例えば、各成分の効能、注意事項、禁忌症など）を知っており、市販薬品の販売時に購入者に対してその市販薬品の説明を行うことは可能である。しかし、この成分表示は見えにくい所に記載されていたりするため、市販薬品の購入者に対してその市販薬品の説明が行われていないのが現状である。すなわち、医師の処方なく、個人の判断で市販薬品を買い求める場合には、市販薬品を購入した人は、購入した市販薬品中に関する説明を受けにくく、説明を受けることができなければ、購入した市販薬品に含まれている各成分に関する情報を知ることができない。
【課題を解決するための手段】
【０００４】
本発明の市販薬品の成分説明出力システムは、市販薬品の種類を識別するための識別データとその識別データで識別される市販薬品の中に含まれる成分に関するデータとが対応付けられて記憶された記憶手段と、入力手段により入力された市販薬品の識別データを認識して当該識別データに対応付けられた市販薬品の中に含まれる成分に関するデータを前記記憶手段から読み出して出力手段に出力する処理手段とを備えたことを特徴とする。市販薬品の中に含まれる成分に関するデータが、市販薬品の中に含まれる成分毎の、成分名データと効能説明データと注意事項説明データであることや、さらに、禁忌症データを加えたデータであることや、出力手段が、市販薬品の中に含まれる成分に関するデータを紙に印刷して市販薬品説明文書として出力するプリンタであることや、識別データが、市販薬品に付されたバーコードデータであることも特徴とする。
本発明の市販薬品の成分説明出力プログラムは、コンピュータに市販薬品の種類を識別するための識別データが入力されたことを認識させる機能と、識別データの入力をコンピュータに認識させた場合に、コンピュータに、市販薬品の種類を識別するための識別データとその識別データで識別される市販薬品の中に含まれる成分に関するデータとが対応付けられて記憶された記憶手段から入力識別データに対応する市販薬品の中に含まれる成分に関するデータを読み出させて出力手段より出力させる機能とを備えたことを特徴とする。
本発明の市販薬品の成分説明データは、市販薬品の種類を識別するための識別データとその識別データで識別される市販薬品の中に含まれる成分に関するデータとが対応付けられた構造を有したことを特徴とする。
【発明の効果】
【０００５】
本発明の市販薬品の成分説明出力システムが薬局などに導入されることで、市販薬品の販売時にその市販薬品の中に含まれる成分に関するデータを出力手段に出力できることから、販売員が薬剤師であれば、例えば出力手段としての表示装置に表示された市販薬品説明を見たり、あるいはプリンタで紙に印刷出力された市販薬品説明文書を購入者に提示しながら、購入した市販薬品中に含まれている成分に関する情報を購入者に説明でき、よって、市販薬品を購入した人は、購入した市販薬品中に含まれている成分に関する情報を知ることができるようになる。また、患者に合わない成分を含有した市販薬品を販売するようなことを少なくでき、事故を防止できる。また、購入者や患者は、市販薬品の中に含まれる成分に関する情報として、市販薬品の中に含まれる成分毎の効能と注意事項や、さらに、成分毎の禁忌症についても知ることができるようになる。また、市販薬品に付されたバーコードデータを識別データとして入力することで、精算時に市販薬品説明文を出力でき、販売員が購入者に対してその購入した市販薬品中に含まれている成分に関する情報を精算時に説明する契機となる。市販薬品の価格データを含むバーコードデータを読み取ることによる精算と同時に市販薬品説明を出力できるので、市販薬品説明を出力させるための特別な操作が不要となる。また、出力手段としてのプリンタで、市販薬品の中に含まれる成分に関するデータを紙に印刷して市販薬品説明文書として出力させることで、この市販薬品説明文書を購入者に手渡すことができる。これにより、購入者は販売員から説明を受けなくても市販薬品説明文書により市販薬品中に含まれている成分に関する情報を知ることができる。また、患者が医師の診断を受けるときや薬剤師に相談する際にその市販薬品説明文書を医師や薬剤師に提示することにより、医師や薬剤師に適切な情報を提供できる。また、本発明の市販薬品の成分説明出力プログラム、本発明の市販薬品の成分説明データによって、上記システムを実現できる。
【発明を実施するための最良の形態】
【０００６】
図１は本発明の最良の形態による市販薬品の成分説明出力システムを示し、図２は本発明の最良の形態による市販薬品の成分説明データ、つまり、市販薬品の種類を識別するための識別データとその識別データで識別される市販薬品の中に含まれる成分に関するデータとが対応付けられた構造を有したデータを示し、図３は出力装置に出力される市販薬品の成分説明文の一例を示す。
【０００７】
図１に示すように、市販薬品の成分説明出力システムは、市販薬品１の外装箱等の外装部に付されたバーコードデータ２（識別データ）を読み取るバーコードリーダ３（入力手段）と、バーコードリーダ３が接続されたコンピュータ４と、表示装置５やプリンタ６等の出力手段とで構成される。コンピュータ４は、市販薬品の成分説明出力処理手段７（処理手段）を備える。すなわち、コンピュータ４の記憶手段８には市販薬品の成分説明データ９及び市販薬品の成分説明出力プログラム１０が格納され、これらデータ９及びプログラム１０を図外の演算手段（ＣＰＵ）が上記記憶手段８から読み込んで所定の動作を行うことで上述した市販薬品の成分説明出力処理手段７が構成される。つまり、図外の演算手段（ＣＰＵ）や記憶手段８などのコンピュータハードウエアとデータ９及びプログラム１０のソフトウエアとの協働により上述した市販薬品の成分説明出力処理手段７が構成される。
【０００８】
市販薬品の成分説明データ９は、図２に示すように、市販薬品１の種類を識別するためのバーコードデータ２（識別データ）とそのバーコードデータ２で識別される市販薬品の中に含まれる成分に関するデータ１１とが対応付けられた構造のデータであり、記憶手段８に記憶されている。即ち、データテーブル化されている。成分に関するデータ１１としては、例えば、市販薬品１の中に含まれる成分名（一般名）データ１２、その成分の効能を説明した効能説明データ１３、その成分の注意事項を説明した注意事項説明データ１４、成分の含有量（１５歳以上あるいは１５歳以下あるいは幼児の１日の市販薬品服用量に対する含有量）を示す含有量データ１５、成分に関する禁忌症データ１６等のデータがあるが、少なくとも成分名データ１２と効能説明データ１３及び注意事項説明データ１４を備えることが好ましい。
【０００９】
図１に示すように、薬局の販売員が図外のレジ及びコンピュータ４に接続されたバーコードリーダ３で市販薬品１の外装箱等の外装部に付されたバーコードデータ２を読み取ると、成分説明出力プログラム１０はＣＰＵにその入力されたバーコードデータ２を検索子として図２のデータテーブル化された市販薬品の成分説明データ９を検索させ、そのバーコードデータ２に対応する成分に関するデータ１１を出力手段に出力させる。そして、例えば、図３に示す説明文が表示装置５に出力されるとともにプリンタ６により印刷される。図３に示す市販薬品説明文には、市販薬品１の商品名２１、含有成分名２２、成分の効能２３、成分の注意事項２４、含有量２５、禁忌症説明２６が記載されている。
【００１０】
したがって、上記システムによれば、市販薬品１の販売時にその市販薬品１の中に含まれる成分に関する情報として、市販薬品１の中に含まれる成分毎の効能、注意事項、含有量、禁忌症についての情報を出力手段に出力できることから、販売員が薬剤師であれば、例えば出力手段としての表示装置５に表示された市販薬品説明文を見たり、あるいはプリンタ６で紙に印刷出力された市販薬品説明文書を購入者に提示しながら、購入した市販薬品１中に含まれている成分毎の効能、注意事項、含有量、禁忌症についての情報を購入者に説明でき、よって、市販薬品１を購入した人は、購入した市販薬品１中に含まれている成分に関する情報を知ることができるようになる。薬剤師は、例えば、塩化リゾチームを含む市販薬品１を卵アレルギーの患者にすすめてはいけないことを知っているが、従来は、確認をせずに販売することも多かった。しかし、本システムによれば、市販薬品１の販売時に出力手段に市販薬品説明文が出力されるので、例えば、塩化リゾチームを含む市販薬品１を販売する場合に販売員である薬剤師に購入者に対して卵アレルギーか否かを問い合わせる契機を与えることができるので、上述したように、塩化リゾチームを含む市販薬品１を卵アレルギーの患者に販売するようなことを少なくできる。すなわち、患者に合わない成分を含有した市販薬品１を販売するようなことを少なくでき、事故を防止できる。また、市販薬品１に付されたバーコードデータ２を識別データとして入力することで、精算時に市販薬品説明文を出力でき、販売員が購入者に対してその購入した市販薬品１中に含まれている成分に関する情報を精算時に説明する契機となる。さらに、市販薬品１の価格データを含むバーコードデータ２を読み取ることによる精算とともに市販薬品説明文を出力できるので、市販薬品説明を出力させるための特別な操作が不要となる。また、出力手段としてのプリンタ６で、市販薬品１の中に含まれる成分に関するデータを紙に印刷して市販薬品説明文書として出力させることで、この市販薬品説明文書を購入者に手渡すことができる。これにより、購入者は販売員から説明を受けなくても市販薬品説明文書により市販薬品１中に含まれている成分に関する情報を知ることができる。また、一般に、医師や薬剤師は薬品を成分名（一般名）でしか把握していないため、市販薬品１の商品名２１を聞いてもどのような成分を含んでいるのかわからず、診察時や相談の際に患者から市販薬品１の商品名２１を聞いても適切な処置を行えない。本システムによれば、患者が医師の診断を受けるときや薬剤師に相談する際にその市販薬品説明文書を医師や薬剤師に提示することにより、医師や薬剤師は患者が服用していた市販薬品１中の成分名を知ることができるので、医師や薬剤師に適切な情報を提供でき、事故防止に役立つ。
【産業上の利用可能性】
【００１１】
上記では、識別データとしてバーコードデータ２を利用したが、予め市販薬品の種類を識別するための専用の識別データとその識別データで識別される市販薬品の中に含まれる成分に関するデータとを対応付けておいて、専用の識別データをキーボードなどの入力手段により入力することで市販薬品説明書を出力させる構成としてもよい。
また、上述のように出力手段としての表示装置５とプリンタ６との両方を使用してもよいし、いずれか一方のみを使用してもよい。
【図面の簡単な説明】
【００１２】
【図１】本発明の最良形態による市販薬品の成分説明出力システムを示すブロック構成図。
【図２】最良形態による市販薬品の成分説明データを示すデータ構造図。
【図３】出力手段に出力される市販薬品の成分説明文の一例を示す図。
【符号の説明】
【００１３】
１  市販薬品、２  バーコードデータ（識別データ）、
３  バーコードリーダ（入力手段）、４  コンピュータ（処理装置）、
５  表示装置（出力手段）、６  プリンタ（出力手段）、
７  市販薬品の成分説明出力処理手段（処理手段）、８  記憶手段、
９  市販薬品の成分説明データ、１０  市販薬品の成分説明出力プログラム。
【図１】
2005346379.tif 000003
【図２】
2005346379.tif 000004
【図３】
2005346379.tif 000005